(57)【要約】【課題】地上波を受信するＴＶ放送受信装置において、接続されたアンテナの種類を自動的に識別できるようにすると共に、識別されたアンテナの種類に応じて適切な受信制御をすることができるようにする。【解決手段】ＴＶ放送受信装置は、接続された多指向性アンテナ又は単指向性アンテナに対して、多指向性アンテナの全ての受信方向を順次指示するための受信方向制御信号を出力し、各受信方向を指示した際に受信したＴＶ放送信号の受信強度を測定する（Ｓ２２〜Ｓ２６）。そして、これら測定された受信強度の値が全て略等しい場合には（Ｓ２８でＹＥＳ）、接続されているアンテナの種類を単指向性アンテナと判断し、測定された受信強度の値がばらついている場合には（Ｓ２８でＮＯ）、接続されているアンテナの種類を多指向性アンテナと判断する。そして、識別されたアンテナの種類に応じてＴＶ放送信号の受信動作を制御する。【選択図】  図５
2006025199.tif 000002
【特許請求の範囲】
【請求項１】
単一の受信方向を有する単指向性アンテナ、又は、予め定められている複数の受信方向を有する多指向性アンテナが接続され、放送局から配信されるテレビジョン放送信号を受信するテレビジョン放送受信装置において、
前記単指向性アンテナ又は前記多指向性アンテナが接続され、テレビジョン放送信号の受信を行う受信手段と、
前記受信手段に対して選局するチャンネルを指示するためのチャンネル制御信号を出力すると共に、前記多指向性アンテナに対してテレビジョン放送信号を受信する際の受信方向を指示するための受信方向制御信号を出力することによりテレビジョン放送信号の受信動作を制御する受信制御手段と、
放送局から配信される各チャンネルのチャンネル番号、これら各チャンネルを受信する際の前記多指向性アンテナの最適受信方向、及びこれら各チャンネルが選局可能なチャンネルとして登録されているか否かを示す登録チャンネル情報を含み、ユーザによって指定されたチャンネルを選局する際に利用されるチャンネル情報テーブルを記憶するチャンネル情報テーブル記憶手段と、
前記受信制御手段により、前記多指向性アンテナ又は前記単指向性アンテナに対して、前記多指向性アンテナの全ての受信方向を順次指示するための前記受信方向制御信号を出力し、各受信方向を指示した際に受信したテレビジョン放送信号の受信強度を測定して、これら測定された受信強度の値が全て略等しい場合には、前記受信手段に接続されているアンテナの種類を前記単指向性アンテナと判断し、前記測定された受信強度の値がばらついている場合には、前記受信手段に接続されているアンテナの種類を前記多指向性アンテナと判断するアンテナ識別手段と、
前記アンテナ識別手段により前記受信手段に接続されているアンテナの種類が前記多指向性アンテナと判断される場合に、前記受信制御手段により前記多指向性アンテナの全ての受信方向を順次指示して、前記受信手段によりテレビジョン放送信号を受信することにより、受信したテレビジョン放送信号の受信強度に基づいて、前記放送局から配信される任意の１チャンネルについて前記最適受信方向及び前記登録チャンネル情報を決定し、前記チャンネル情報テーブルの内容を更新するオートスキャン手段と、
前記オートスキャン手段による処理を繰り返すことにより、前記放送局から配信される全てのチャンネルについて、前記最適受信方向及び前記登録チャンネル情報を決定し、前記チャンネル情報テーブルの内容を更新する全域スキャン手段と、
前記アンテナ識別手段により前記受信手段に接続されているアンテナの種類が前記単指向性アンテナと判断される場合に、前記受信制御手段により、放送局から配信される全てのチャンネルの選局を順次指示して、前記受信手段によりテレビジョン放送信号を受信することにより、受信したテレビジョン放送信号の受信強度に基づいて、放送局から配信される全てのチャンネルについて前記登録チャンネル情報を決定し、前記チャンネル情報テーブルの内容を更新するチャンネルスキャン手段とを備え、
前記受信制御手段は、前記アンテナ識別手段により前記受信手段に接続されているアンテナの種類が前記単指向性アンテナと判断される場合には、前記チャンネル制御信号を出力してテレビジョン放送信号の受信動作を制御し、前記受信手段に接続されているアンテナの種類が前記多指向性アンテナと判断される場合には、前記チャンネル制御信号及び前記受信方向制御信号を出力してテレビジョン放送信号の受信動作を制御することを特徴とするテレビジョン放送受信装置。
【請求項２】
単一の受信方向を有する単指向性アンテナ、又は、予め定められている複数の受信方向を有する多指向性アンテナが接続され、放送局から配信されるテレビジョン放送信号を受信するテレビジョン放送受信装置において、
前記単指向性アンテナ又は前記多指向性アンテナが接続され、テレビジョン放送信号の受信を行う受信手段と、
前記受信手段に対して選局するチャンネルを指示するためのチャンネル制御信号を出力すると共に、前記多指向性アンテナに対してテレビジョン放送信号を受信する際の受信方向を指示するための受信方向制御信号を出力することによりテレビジョン放送信号の受信動作を制御する受信制御手段と、
前記受信制御手段により、前記多指向性アンテナ又は前記単指向性アンテナに対して、前記受信方向制御信号を出力し、前記受信手段により受信したテレビジョン放送信号の受信強度に基づいて、前記受信手段に接続されているアンテナの種類が前記単指向性アンテナであるか、前記多指向性アンテナであるか判断するアンテナ識別手段とを備え、
前記受信制御手段は、前記アンテナ識別手段により前記受信手段に接続されているアンテナの種類が前記単指向性アンテナと判断される場合には、前記チャンネル制御信号を出力してテレビジョン放送信号の受信動作を制御し、前記受信手段に接続されているアンテナの種類が前記多指向性アンテナと判断される場合には、前記チャンネル制御信号及び前記受信方向制御信号を出力してテレビジョン放送信号の受信動作を制御することを特徴とするテレビジョン放送受信装置。
【請求項３】
前記アンテナ識別手段は、前記受信制御手段により、前記多指向性アンテナ又は前記単指向性アンテナに対して、前記多指向性アンテナの全ての受信方向を順次指示するための前記受信方向制御信号を出力し、各受信方向を指示した際に受信したテレビジョン放送信号の受信強度を測定して、これら測定された受信強度の値が全て略等しい場合には、前記受信手段に接続されているアンテナの種類を前記単指向性アンテナと判断し、前記測定された受信強度の値がばらついている場合には、前記受信手段に接続されているアンテナの種類を前記多指向性アンテナと判断することを特徴とする請求項２に記載のテレビジョン放送受信装置。
【発明の詳細な説明】
【技術分野】
【０００１】
本発明は、地上波を受信するテレビジョン放送受信装置に関する。
【背景技術】
【０００２】
従来から、地上波を受信するために、八木アンテナ等の指向性アンテナが使用されている。このような指向性アンテナは、強い指向性により弱い電波でも拾うことができる一方、特定方向からの電波しか拾うことができないという欠点がある。このような八木アンテナの特性は、電波塔が一箇所に集中している日本等においてはあまり問題にならないが、米国等においては、都市部を囲むように電波塔が分布している地域も多く、八木アンテナのような指向性アンテナを利用した場合、送信塔からの距離が近くても受信できない局が多数存在するケースがあった。このため、このような問題を解決すべく、アンテナの指向性を変更できるように、受信装置からアンテナをコントロールする規格、ＥＩＡ−９０９”Ａｎｔｅｎｎａ  Ｃｏｎｔｒｏｌ  Ｉｎｔｅｒｆａｃｅ”が制定された。これは、受信装置に通称スマートアンテナと呼ばれる指向性を変更できるアンテナを接続し、これを受信装置側からモジュラ端子を介して制御するための規格である。なお、本明細書においては、八木アンテナ等の指向性アンテナを単指向性アンテナと呼び、指向性を変更できるアンテナを多指向性アンテナと呼ぶことにより両者を区別する。
【０００３】
このような多指向性アンテナが接続されるテレビジョン放送受信装置には、多指向性アンテナのみならず単指向性アンテナが接続されることが考えられるが、接続されているアンテナの種類がテレビジョン放送受信装置側で識別されていない場合、単指向性アンテナが接続されている場合であっても、多指向性アンテナに対する制御が単指向性アンテナに対して行われることとなる。例えば、このようなテレビジョン放送受信装置の中には、ユーザによって選択される任意のチャンネルについて、多指向性アンテナの全ての受信方向を順次指示して、各受信方向で受信したテレビジョン放送信号の受信強度等に基づいて、テレビジョン放送信号を最も状態良く受信できるアンテナの方向（以下、最適受信方向という）を自動的に決定するオートスキャン機能を備えたものも存在するが、指向性を変更することができない単指向性アンテナに対しては全く無駄な処理となり、単指向性アンテナに対してこのような処理を行うことは、時間を浪費することにもなる。
【０００４】
ところで、接続されているアンテナの種類を自動的に識別する受信装置等として、衛星放送を受信するためのアンテナ環境を自動的に識別するシステムや、接続されているアンテナの種類がアクティブアンテナであるかパッシブアンテナであるか識別し、アンテナの種類に応じた制御を行うようにしたＧＰＳ装置等が知られている（例えば、特許文献１参照及び特許文献２参照）。
【特許文献１】特開２０００−１３８９２８号公報
【特許文献２】特開２００２−１２２６５１号公報
【発明の開示】
【発明が解決しようとする課題】
【０００５】
しかしながら、地上波を受信するテレビジョン放送受信装置については、接続されているアンテナの種類を自動的に識別することができる装置は知られておらず、上述した特許文献１及び特許文献２に開示の内容を適用したとしても、接続されているアンテナの種類が、指向性を変更できるものであるか否かを識別することはできない。
【０００６】
本発明は、上記の問題を解決するためになされたものであり、接続されたアンテナの種類を自動的に識別できるようにすると共に、地上波を受信する際、識別されたアンテナの種類に応じて適切な受信制御をすることができるテレビジョン放送受信装置を提供することを目的とする。
【課題を解決するための手段】
【０００７】
上記目的を達成するために請求項１の発明は、単一の受信方向を有する単指向性アンテナ、又は、予め定められている複数の受信方向を有する多指向性アンテナが接続され、放送局から配信されるテレビジョン放送信号を受信するテレビジョン放送受信装置において、前記単指向性アンテナ又は前記多指向性アンテナが接続され、テレビジョン放送信号の受信を行う受信手段と、前記受信手段に対して選局するチャンネルを指示するためのチャンネル制御信号を出力すると共に、前記多指向性アンテナに対してテレビジョン放送信号を受信する際の受信方向を指示するための受信方向制御信号を出力することによりテレビジョン放送信号の受信動作を制御する受信制御手段と、放送局から配信される各チャンネルのチャンネル番号、これら各チャンネルを受信する際の前記多指向性アンテナの最適受信方向、及びこれら各チャンネルが選局可能なチャンネルとして登録されているか否かを示す登録チャンネル情報を含み、ユーザによって指定されたチャンネルを選局する際に利用されるチャンネル情報テーブルを記憶するチャンネル情報テーブル記憶手段と、前記受信制御手段により、前記多指向性アンテナ又は前記単指向性アンテナに対して、前記多指向性アンテナの全ての受信方向を順次指示するための前記受信方向制御信号を出力し、各受信方向を指示した際に受信したテレビジョン放送信号の受信強度を測定して、これら測定された受信強度の値が全て略等しい場合には、前記受信手段に接続されているアンテナの種類を前記単指向性アンテナと判断し、前記測定された受信強度の値がばらついている場合には、前記受信手段に接続されているアンテナの種類を前記多指向性アンテナと判断するアンテナ識別手段と、前記アンテナ識別手段により前記受信手段に接続されているアンテナの種類が前記多指向性アンテナと判断される場合に、前記受信制御手段により前記多指向性アンテナの全ての受信方向を順次指示して、前記受信手段によりテレビジョン放送信号を受信することにより、受信したテレビジョン放送信号の受信強度に基づいて、前記放送局から配信される任意の１チャンネルについて前記最適受信方向及び前記登録チャンネル情報を決定し、前記チャンネル情報テーブルの内容を更新するオートスキャン手段と、前記オートスキャン手段による処理を繰り返すことにより、前記放送局から配信される全てのチャンネルについて、前記最適受信方向及び前記登録チャンネル情報を決定し、前記チャンネル情報テーブルの内容を更新する全域スキャン手段と、前記アンテナ識別手段により前記受信手段に接続されているアンテナの種類が前記単指向性アンテナと判断される場合に、前記受信制御手段により、放送局から配信される全てのチャンネルの選局を順次指示して、前記受信手段によりテレビジョン放送信号を受信することにより、受信したテレビジョン放送信号の受信強度に基づいて、放送局から配信される全てのチャンネルについて前記登録チャンネル情報を決定し、前記チャンネル情報テーブルの内容を更新するチャンネルスキャン手段とを備え、前記受信制御手段は、前記アンテナ識別手段により前記受信手段に接続されているアンテナの種類が前記単指向性アンテナと判断される場合には、前記チャンネル制御信号を出力してテレビジョン放送信号の受信動作を制御し、前記受信手段に接続されているアンテナの種類が前記多指向性アンテナと判断される場合には、前記チャンネル制御信号及び前記受信方向制御信号を出力してテレビジョン放送信号の受信動作を制御することを特徴とする。
【０００８】
請求項２の発明は、単一の受信方向を有する単指向性アンテナ、又は、予め定められている複数の受信方向を有する多指向性アンテナが接続され、放送局から配信されるテレビジョン放送信号を受信するテレビジョン放送受信装置において、前記単指向性アンテナ又は前記多指向性アンテナが接続され、テレビジョン放送信号の受信を行う受信手段と、前記受信手段に対して選局するチャンネルを指示するためのチャンネル制御信号を出力すると共に、前記多指向性アンテナに対してテレビジョン放送信号を受信する際の受信方向を指示するための受信方向制御信号を出力することによりテレビジョン放送信号の受信動作を制御する受信制御手段と、前記受信制御手段により、前記多指向性アンテナ又は前記単指向性アンテナに対して、前記受信方向制御信号を出力し、前記受信手段により受信したテレビジョン放送信号の受信強度に基づいて、前記受信手段に接続されているアンテナの種類が前記単指向性アンテナであるか、前記多指向性アンテナであるか判断するアンテナ識別手段とを備え、前記受信制御手段は、前記アンテナ識別手段により前記受信手段に接続されているアンテナの種類が前記単指向性アンテナと判断される場合には、前記チャンネル制御信号を出力してテレビジョン放送信号の受信動作を制御し、前記受信手段に接続されているアンテナの種類が前記多指向性アンテナと判断される場合には、前記チャンネル制御信号及び前記受信方向制御信号を出力してテレビジョン放送信号の受信動作を制御することを特徴とする。
【０００９】
請求項３の発明は、請求項２に記載の発明において、前記アンテナ識別手段は、前記受信制御手段により、前記多指向性アンテナ又は前記単指向性アンテナに対して、前記多指向性アンテナの全ての受信方向を順次指示するための前記受信方向制御信号を出力し、各受信方向を指示した際に受信したテレビジョン放送信号の受信強度を測定して、これら測定された受信強度の値が全て略等しい場合には、前記受信手段に接続されているアンテナの種類を前記単指向性アンテナと判断し、前記測定された受信強度の値がばらついている場合には、前記受信手段に接続されているアンテナの種類を前記多指向性アンテナと判断することを特徴とする。
【発明の効果】
【００１０】
本発明によれば、受信制御手段により、多指向性アンテナ又は単指向性アンテナに対して、受信方向制御信号を出力し、受信手段により受信したテレビジョン放送信号の受信強度に基づいて、受信手段に接続されているアンテナの種類が単指向性アンテナであるか、多指向性アンテナであるか判断するアンテナ識別手段を備え、アンテナ識別手段により受信手段に接続されているアンテナの種類が単指向性アンテナと判断される場合には、チャンネル制御信号を出力してテレビジョン放送信号の受信動作を制御し、受信手段に接続されているアンテナの種類が多指向性アンテナと判断される場合には、チャンネル制御信号及び受信方向制御信号を出力してテレビジョン放送信号の受信動作を制御するので、接続されたアンテナの種類に応じて適切な受信動作の制御をすることができる。
【発明を実施するための最良の形態】
【００１１】
本発明の一実施形態に係るテレビジョン（ＴＶ）放送受信装置について説明する。ユーザが家庭においてディジタルＴＶ放送信号（以下、単にＴＶ放送信号という）を受信する状況を図１に示す。ディジタルＴＶ放送が行われている地域では、受信したＴＶ放送信号の強度が一定の閾値以上であれば、補正などにより一定の画質の画像が得られる。そのため、図１に示すように、Ａ地域、Ｂ地域、Ｃ地域など複数箇所に点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００１２】
図２に示されるように、ＴＶ放送受信装置１は、このようなスマートアンテナ２、又は八木アンテナ等の単指向性アンテナ（図示せず）に接続される。ＴＶ放送受信装置１は、スマートアンテナ２の有効な受信方向を切り替えることにより、複数箇所に点在する放送局から所定周波数帯域で配信されてくるＴＶ放送信号を受信して、各チャンネルのＴＶ放送信号に含まれるＴＶ番組をモニタ装置３に出力する。なお、本実施形態の説明では、ＴＶ番組の放送に使用されている搬送波の周波数帯域である物理チャンネルのことを、単にチャンネルという。
【００１３】
ＴＶ放送受信装置１は、スマートアンテナ２に接続されＴＶ放送信号を受信するチューナ（受信手段）１１、チューナ１１で受信したＴＶ放送信号に対して所定の信号処理を行い、復号化するフロントエンド１２、ＭＰＥＧ圧縮されていたＴＶ放送信号をデコードするＭＰＥＧデコーダ１３、デコードされたＴＶ放送信号に所定の表示画像を重畳させるオンスクリーンディスプレイ（ＯＳＤ）部１４、チューナ１１に対して選局するチャンネルを指示するためのチャンネル制御信号を出力すると共に、スマートアンテナ２に対してＴＶ放送信号を受信する際の受信方向を指示するための受信方向制御信号を出力することによりＴＶ放送信号の受信動作を制御する制御部（受信制御手段）１５、チャンネル情報テーブルを記憶するメモリ（チャンネル情報テーブル記憶手段）１６、及びモジュラ端子１７などで構成されている。ＭＰＥＧデコーダ１３によりデコードされたＴＶ放送信号は、オンスクリーンディスプレイ部１４を介してモニタ装置３に出力され、表示される。
【００１４】
なお、制御部１５はＴＶ放送受信装置１全体を制御し、後述するアンテナ識別処理、オートスキャン処理、全域スキャン処理、又はチャンネルスキャン処理を実行することにより、アンテナ識別手段、オートスキャン手段、全域スキャン手段、又はチャンネルスキャン手段として機能する。
【００１５】
メモリ１６に記憶されるチャンネル情報テーブルは、放送局から配信される各チャンネルのチャンネル番号、これら各チャンネルを受信する際のスマートアンテナ２の最適受信方向、及びこれら各チャンネルが選局可能なチャンネルとして登録されているか否かを示す登録チャンネル情報を含んでいる。制御部１５は、この登録チャンネル情報に基づいて、選局可能なチャンネルとして登録されているチャンネルについて受信処理を実行し、メモリ１６から選局されるチャンネルの最適受信方向を読み出して、この最適受信方向を指示する受信方向制御信号をスマートアンテナ２に出力等することにより、受信処理を実行する。なお、以下においては、あるチャンネルが選局可能なチャンネルとして登録されている状態をＡＤＤフラグがオン状態であると表現し、あるチャンネルが選局不可能なチャンネルとして登録されている状態をＡＤＤフラグがオフ状態であると表現する。また、チャンネル情報テーブルから登録チャンネル情報が削除されることを、ＡＤＤフラグをオン状態からオフ状態に変更すると表現し、チャンネル情報テーブルに登録チャンネル情報が登録されることを、ＡＤＤフラグをオフ状態からオン状態に変更すると表現する。
【００１６】
また、メモリ１６は、チューナ１１に接続されたアンテナの設定を管理するためのアンテナ管理ファイルを記憶する。アンテナ管理ファイルは、チューナ１１に接続されて使用されるアンテナ（以下、使用アンテナという）の種類を特定する情報を少なくとも含んでおり、制御部１５は、この情報に基づいてチューナ１１に接続されたアンテナを制御する。
【００１７】
スマートアンテナ２は、有効な受信方向を機械的又は電子的に切り替えることにより複数の受信方向Ｄ１〜Ｄ１６（図３参照）からＴＶ放送信号を受信するアンテナ部２１と、アンテナ部２１の動作を制御する制御ユニット２２とを備えている。制御ユニット２２は、ＴＶ放送受信装置１からの受信方向制御信号に応じて、アンテナ部２１の複数ある受信方向Ｄ１〜Ｄ１６のうち、指示された受信方向のみを有効にする。
【００１８】
次に、上記チャンネル情報テーブルを作成する際に行われるチャンネル情報テーブル作成処理について図４を参照して説明する。制御部１５は、ユーザによりチャンネル情報テーブルの作成が指示されると（或は、チャンネル情報テーブルが登録されていない場合には自動的に）、アンテナ管理ファイルに使用アンテナが登録されているか否か判断する（Ｓ１）。そして、アンテナ管理ファイルに使用アンテナが登録されていなければ（Ｓ１でＮＯ）、後述するアンテナ識別処理を行って、チューナ１１に接続されているアンテナの種類を識別し、識別されたアンテナの種類をアンテナ管理ファイルに登録する（Ｓ２）。一方、アンテナ管理ファイルに使用アンテナが登録されている場合には（Ｓ１でＹＥＳ）、登録されている使用アンテナがスマートアンテナ２であるか否か判断する（Ｓ３）。登録されている使用アンテナがスマートアンテナ２であれば（Ｓ３でＹＥＳ）、後述する全域スキャン処理によってチャンネル情報テーブルを更新する（Ｓ４）。一方、使用アンテナがスマートアンテナ２でなく単指向性アンテナであれば、後述するチャンネルスキャン処理によりチャンネル情報テーブルを更新する（Ｓ５）。
【００１９】
次に、アンテナ識別処理について図５を参照して説明する。アンテナ識別処理が開始されると、制御部１５は、想定されるスマートアンテナ２の受信方向の数に応じてカウンタの初期値ｎ（本実施形態においては、例えば”１６”）を設定する（Ｓ２１）。そして、第ｎ番目の方向を指定する受信方向制御信号をアンテナに出力し（Ｓ２２）、スマートアンテナ２が受信方向を切り替えるために必要とする受信方向切替時間を経過してから選局されたチャンネルのＴＶ放送信号を受信する（Ｓ２３）。さらに、ＴＶ放送受信装置１は、受信したＴＶ放送信号の受信強度を測定し、測定結果をメモリ１６に記憶する（Ｓ２４）。そして、カウンタを１つ減算し（Ｓ２５）、アンテナの全ての受信方向についてＴＶ放送信号の受信強度を測定したか否かを判断する（Ｓ２６）。全ての受信方向についてＴＶ放送信号の受信強度を測定していない場合は（Ｓ２６でＮＯ）、ステップＳ２２に戻って次の受信方向についてＴＶ放送信号の受信強度を測定する。全ての受信方向についてＴＶ放送信号の受信強度の測定が完了すると（Ｓ２６でＹＥＳ）、制御部１５は、メモリ１６に記憶されている測定データを読み出して比較し（Ｓ２７）、全受信方向の受信強度が略一致するか否か判断する（Ｓ２８）。ここで、チューナ１１に接続されているアンテナの種類が、指向性を変更することができない単指向性アンテナであれば、受信方向制御信号による指示に関わらずアンテナの受信方向（指向性）は常に一定となるので、各受信方向制御信号により各受信方向を指示した後に受信したＴＶ放送信号の受信強度は、全て略一致することとなる。一方、チューナ１１に接続されているアンテナの種類が、スマートアンテナ２であれば、受信方向制御信号による指示よりアンテナの受信方向（指向性）が変化するため、各受信方向によってＴＶ放送信号の受信強度が異なることとなる。従って、全受信方向の受信強度が略一致する場合には（Ｓ２８でＹＥＳ）、チューナ１１に接続されているアンテナの種類を単指向性アンテナと判断し、アンテナ管理ファイルの使用アンテナの項目に単指向性アンテナを登録する（Ｓ２９）。一方、全受信方向の受信強度がばらついている場合には（Ｓ２８でＮＯ）、チューナ１１に接続されているアンテナの種類をスマートアンテナ２と判断し、アンテナ管理ファイルの使用アンテナの項目にスマートアンテナ２を登録する（Ｓ３０）。
【００２０】
次に、チャンネル情報テーブル作成処理のステップＳ４等において行われる全域スキャン処理、及びオートスキャン処理について図６及び図７を参照して説明する。まず、放送局から配信される全てのチャンネルついて最適受信方向等を決定する全域スキャン処理の説明に先立って、任意の１チャンネルについて最適受信方向等を決定するオートスキャン処理について図６を参照して説明する。オートスキャン処理が開始されると、制御部１５は、スマートアンテナ２の受信方向Ｄ１〜Ｄ１６の数に応じてカウンタの初期値ｎ（ここでは”１６”）を設定する（Ｓ４１）。そして、第ｎ番目の方向を指定する受信方向制御信号をスマートアンテナ２に出力し（Ｓ４２）、チューナ１１により所定チャンネルのＴＶ放送信号を受信する（Ｓ４３）。さらに、ＴＶ放送受信装置１は、受信したＴＶ放送信号の受信強度を測定し、測定結果をメモリ１６に記憶する（Ｓ４４）。そして、カウンタを１つ減算し（Ｓ４５）、スマートアンテナ２の全ての受信方向についてＴＶ放送信号の受信強度を測定したか否かを判断する（Ｓ４６）。全ての受信方向についてＴＶ放送信号の受信強度を測定していない場合は（Ｓ４６でＮＯ）、ステップＳ４２に戻って次の受信方向についてＴＶ放送信号の受信強度を測定する。全ての受信方向についてＴＶ放送信号の受信強度の測定が完了すると（Ｓ４６でＹＥＳ）、制御部１５は、メモリ１６に記憶されている測定データを読み出し、読み出した全ての受信強度を比較して（Ｓ４７）、受信強度が最大となる方向を最適受信方向として決定し（Ｓ４８）、チャンネル情報テーブルに登録する（Ｓ４９）。更に、この最適受信方向の受信強度が所定値以上か否か判断し（Ｓ５０）、所定値以上であれば（Ｓ５０でＹＥＳ）、チャンネル情報テーブルのＡＤＤフラグをオンにして処理を終了する（Ｓ５１）。一方、最適受信方向の受信強度が所定値以下であれば（Ｓ５０でＮＯ）、ＡＤＤフラグをオンにせず（すなわち、ＡＤＤフラグがオフ状態のまま）、処理を終了する。
【００２１】
次に、図７を参照して全域スキャン処理について説明する。全域スキャン処理が開始されると、制御部１５は、放送局から配信されるチャンネル数に応じて、カウンタの初期値ｍ、及び最適受信方向を決定するチャンネル数ｍｍａｘを設定する（Ｓ６１）。そして、第ｍ番目のチャンネルについて上記オートスキャン処理を実行することにより、このチャンネルについて最適受信方向及び登録チャンネル情報を決定し、チャンネル情報テーブルに登録する（Ｓ６２）。そして、カウンタを１つ加算し（Ｓ６３）、全てのチャンネルについてオートスキャン処理が実行されたか否かを判断する（Ｓ６４）。全てのチャンネルについてオートスキャン処理が実行されていない場合は（Ｓ６４でＮＯ）、ステップＳ６２に戻って次のチャンネルについてオートスキャン処理が実行され、全てのチャンネルについて最適受信方向及び登録チャンネル情報がチャンネル情報テーブルに登録されると（Ｓ６４でＹＥＳ）、処理を終了する。
【００２２】
図８（ａ）は、上記全域スキャン処理により作成されたチャンネル情報テーブルの例を示す図である。チャンネル情報テーブル５０には、チャンネル番号５１と対応させて、最適受信方向５２及び登録チャンネル情報５３が登録されている。図８（ｂ）については後述する。なお、図８（ａ），（ｂ）において、ＡＤＤフラグのオン状態を”○”印で示し、ＡＤＤフラグのオフ状態を無印で示している。また、最適受信方向５２の欄に記載されている各数字は、図３におけるスマートアンテナ２の受信方向Ｄ１〜Ｄ１６に対応している（例えば、”２”は受信方向Ｄ２に、”３”は受信方向Ｄ３にそれぞれ対応）。
【００２３】
次に、チャンネル情報テーブル作成処理のステップＳ５等において行われるチャンネルスキャン処理について図９を参照して説明する。チャンネルスキャン処理が開始されると、制御部１５は、放送局から配信されるチャンネル数に応じて、カウンタの初期値ｍ、及び登録チャンネル情報を決定するチャンネル数ｍｍａｘを設定する（Ｓ８１）。そして、第ｍ番目のチャンネルを選局し（Ｓ８２）、受信したテレビジョン放送信号の受信強度を測定して、受信強度が所定値以上か否か判断する（Ｓ８３）。テレビジョン放送信号の受信強度が所定値以上であれば（Ｓ８３でＹＥＳ）、このチャンネルについて、チャンネル情報テーブルのＡＤＤフラグをオンにし（Ｓ８４）、受信強度が所定値以下であれば（Ｓ８３でＮＯ）、ＡＤＤフラグをオンにせず、ＡＤＤフラグをオフ状態のままで保持する。そして、カウンタを１つ加算し（Ｓ８５）、全てのチャンネルについて登録チャンネル情報が決定されたか否かを判断する（Ｓ８６）。全てのチャンネルについて登録チャンネル情報が決定されていない場合は（Ｓ８６でＮＯ）、ステップＳ８２に戻って次のチャンネルについて登録チャンネル情報が決定され、全てのチャンネルについて登録チャンネル情報がチャンネル情報テーブルに登録されると（Ｓ８６でＹＥＳ）、処理を終了する。
【００２４】
図８（ｂ）は、上記チャンネルスキャン処理により作成されたチャンネル情報テーブルの例を示す図である。チャンネル情報テーブル６０には、チャンネル番号６１と対応させて、登録チャンネル情報６２が登録されている。
【００２５】
次に、ユーザが視聴するチャンネルをＴＶ放送受信装置１に対して設定した際に行われる受信処理について図１０を参照して説明する。ユーザが視聴するチャンネルを設定すると、制御部１５は、アンテナ管理ファイルを参照して使用アンテナがスマートアンテナ２か否か判断する（Ｓ１０１）。使用アンテナがスマートアンテナ２であれば（Ｓ１０１でＹＥＳ）、チャンネル制御信号及び受信方向制御信号を出力し（Ｓ１０２）、受信方向切替時間が経過したか否か判断する（Ｓ１０３）。そして、受信方向切替時間が経過してから（Ｓ１０３でＹＥＳ）、選局されたチャンネルのＴＶ放送信号を受信し（Ｓ１０４）、ＴＶ放送信号をモニタ装置３に出力する（Ｓ１０５）。一方、使用アンテナがスマートアンテナ２でなければ（すなわち、単指向性アンテナであれば）（Ｓ１０１でＮＯ）、チャンネル制御信号のみを出力し（Ｓ１０６）、選局されたチャンネルのＴＶ放送信号を受信して（Ｓ１０４）、ＴＶ放送信号をモニタ装置３に出力する（Ｓ１０５）。このように、使用アンテナが単指向性アンテナであれば、アンテナの受信方向を切り替える必要がない（切り替えることができない）ので、受信方向切替時間を待たずして、ＴＶ放送信号の受信を開始し、モニタ装置３に出力する。
【００２６】
このように、本実施形態におけるＴＶ放送受信装置１によれば、上記アンテナ識別処理により、チューナ１１に接続されているアンテナの種類が単指向性アンテナであるか、スマートアンテナ２であるか判断し、チューナ１１に接続されているアンテナの種類が指向性を変更することができない単指向性アンテナと判断される場合には、チャンネル制御信号のみを出力してＴＶ放送信号の受信動作を制御し、チューナ１１に接続されているアンテナの種類がスマートアンテナ２と判断される場合には、チャンネル制御信号及び受信方向制御信号を出力してＴＶ放送信号の受信動作を制御するので、接続されたアンテナの種類に応じて適切な受信動作の制御をすることができる。
【００２７】
なお、本発明は上記実施形態の構成に限られることなく種々の変形が可能である。例えば、ＴＶ放送受信装置１が受信できるＴＶ放送信号は、ディジタルテレビジョン放送信号に限られずアナログテレビジョン放送信号であってもよい。また、スマートアンテナ２の受信方向数は、上記実施形態で例示した１６方向に限られず、４方向や８方向など、その他の数であってもよい。
【図面の簡単な説明】
【００２８】
【図１】ユーザが家庭においてＴＶ放送信号を受信する状況を示す概念図。
【図２】本発明の実施形態に係るＴＶ放送受信装置の構成を示すブロック図。
【図３】同受信装置に接続されるスマートアンテナの受信方向の説明図。
【図４】同受信装置によるチャンネル情報テーブル作成処理を示すフローチャート。
【図５】同受信装置によるアンテナ識別処理を示すフローチャート。
【図６】同受信装置によるオートスキャン処理を示すフローチャート。
【図７】同受信装置による全域スキャン処理を示すフローチャート。
【図８】（ａ）は同全域スキャン処理により作成されたチャンネル情報テーブルを示す図、（ｂ）はチャンネルスキャン手段により作成されたチャンネル情報テーブルを示す図。
【図９】同受信装置によるチャンネルスキャン処理を示すフローチャート。
【図１０】同受信装置による受信処理を示すフローチャート。
【符号の説明】
【００２９】
１  テレビジョン放送受信装置
２  スマートアンテナ（多指向性アンテナ）
３  モニタ装置
１１  チューナ
１２  フロントエンド
１３  ＭＰＥＧデコーダ
１４  オンスクリーンディスプレイ部
１５  制御部
１６  メモリ
１７  モジュラ端子
２１  アンテナ部
２２  制御ユニット
【図１】
2006025199.tif 000003
【図２】
2006025199.tif 000004
【図３】
2006025199.tif 000005
【図４】
2006025199.tif 000006
【図５】
2006025199.tif 000007
【図６】
2006025199.tif 000008
【図７】
2006025199.tif 000009
【図８】
2006025199.tif 000010
【図９】
2006025199.tif 000011
【図１０】
2006025199.tif 000012